【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
患者の上顎または下顎の全ての歯のうちの少なくとも１つの歯を整列させるための第１の歯列矯正器具を備える歯列矯正システムであって、前記第１の歯列矯正器具は：
マウスピース；
前記少なくとも１つの歯を動かすための力を加えるための力付与部材であって、前記力付与部材は、少なくとも１つの膨張可能要素を備え、前記少なくとも１つの膨張可能要素が、前記少なくとも１つの歯に加えられる力を加えて維持するように流体で膨張可能である、力付与部材；
追加する流体の体積の質量を測定する質量流量センサを備える歯の移動センサであって、前記追加する流体の体積の質量が前記少なくとも１つの膨張可能要素の体積の対応する増加をもたらし、前記対応する増加が、前記少なくとも１つの歯が前記少なくとも１つの膨張可能要素よって加えられる力に応じて移動する際も、前記少なくとも１つの膨張可能要素によって前記少なくとも１つの歯に加えられる力を維持する、歯の移動センサ；
前記マウスピースに配置、または、少なくとも部分的に埋め込まれた歯の移動モニタであって、前記歯の移動モニタは、前記質量流量センサによって測定され、かつ、伝送された流体の質量の測定値を受容するように構成された第１のコントローラを有し、前記第１のコントローラは、前記流体の質量の測定値から前記少なくとも１つの膨張可能要素の体積の増加を算出するようにさらに構成され、前記第１のコントローラは、算出した前記体積の増加から、前記少なくとも１つの歯が移動した距離または前記少なくとも１つの歯の現在位置、或いは、前記少なくとも１つの歯が移動した距離及び前記少なくとも１つの歯の現在位置を算出するための歯の移動モニタ；及び、
前記流体で少なくとも１つの膨張可能要素を膨張させるための流体ポンプと、前記流体ポンプの作動を選択的に制御し、かつ、前記歯の移動モニタで算出される、前記少なくとも１つの歯が移動した距離、または、前記少なくとも１つの歯の現在位置、或いは、前記少なくとも１つの歯が移動した距離、及び、前記少なくとも１つの歯の現在位置を保存するための第２のコントローラと、を有する電子制御コンソール；
を備え、
前記電子制御コンソール及び前記歯の移動モニタそれぞれは、通信インターフェースを備え、前記通信インターフェースが、有線、無線、または光接続を介して前記電子制御コンソールと前記歯の移動モニタとの間のデータ通信を可能にすることを特徴とする歯列矯正システム。
【請求項２】
前記少なくとも１つの膨張可能要素は、前記少なくとも１つの膨張可能要素と前記少なくとも１つの歯との間の物理的係合を可能にするように前記マウスピースと関連付けられることを特徴とする請求項１に記載の歯列矯正システム。
【請求項３】
前記少なくとも１つの膨張可能要素に接続されたマルチポート電磁弁または複数の電磁弁をさらに備え、前記マルチポート電磁弁または前記複数の電磁弁は、前記少なくとも１つの膨張可能要素が前記少なくとも１つの膨張可能要素のうちの選択された１つを膨張させるために使用される流体の質量を測定するように個々に選択されることを可能にすることを特徴とする請求項１に記載の歯列矯正システム。
【請求項４】
前記少なくとも１つの歯との物理的係合、または、前記少なくとも１つの歯との光通信を可能にするようにマウスピースと関連付けられた少なくとも第２の歯の移動センサをさらに備えることを特徴とする請求項１に記載の歯列矯正システム。
【請求項５】
１つまたは複数の追加的な歯の移動センサをさらに備え、前記１つまたは複数の追加的な移動センサは、１つまたは複数の力センサ、１つまたは複数の光学画像センサ、または、これらの任意の組み合わせを備えることを特徴とする請求項１に記載の歯列矯正システム。
【請求項６】
前記１つまたは複数の力センサは、少なくとも１つの接触力センサ、少なくとも１つの可撓性力センサ、または、これらの任意の組み合わせを備え、前記少なくとも１つの光学画像センサは、少なくとも１つのマイクロビデオカメラ、少なくとも１つのマイクロスチルカメラ、または、これらの任意の組み合わせを備えることを特徴とする請求項５に記載の歯列矯正システム。
【請求項７】
前記少なくとも１つの力センサは、前記少なくとも１つの歯によってそれに加えられる力及び加えられた力の位置のうちの少なくとも１つを測定し、前記少なくとも１つの光学画像センサは、前記少なくとも一つの歯の少なくとも一つの光学画像を取得することを特徴とする請求項５に記載の歯列矯正システム。
【請求項８】
前記電子制御コンソールは、前記第２のコントローラが前記流体ポンプの作動を選択的に制御するのを補助するための少なくとも１つの流体センサ及び弁をさらに備えることを特徴とする請求項１に記載の歯列矯正システム。
【請求項９】
前記電子制御コンソールの前記第２のコントローラは、プログラム可能であることを特徴とする請求項１に記載の歯列矯正システム。
【請求項１０】
前記電子制御コンソールの前記通信インターフェースは、前記患者によって操作される通信装置とのデータ通信を可能にし、これにより、前記データから前記少なくとも１つの歯の移動距離及び前記少なくとも１つの歯の現在位置の少なくとも１つが、リアルタイムか保存されて、患者の通信装置によって遠隔に位置する歯科医または他のユーザの遠隔に位置する通信装置によって通信されることを可能にすることを特徴とする請求項１に記載の歯列矯正システム。
【請求項１１】
前記電子制御コンソールの前記通信インターフェースは、前記患者によって操作される前記通信装置を介して、歯科医または他のユーザによって操作される前記遠隔に位置する通信装置からのプログラム命令の受信を可能にし、前記プログラム命令は、前記電子制御コンソールの前記第２のコントローラをプログラムすることを特徴とする請求項１０に記載の歯列矯正システム。
【請求項１２】
前記電子制御コンソールの前記通信インターフェースは、歯科医または他のユーザによって操作される遠隔に位置する通信装置からのプログラム命令の受信を可能にし、前記プログラム命令は、前記電子制御コンソールの前記第２のコントローラをプログラムする、請求項１に記載の歯列矯正システム。
【請求項１３】
前記電子制御コンソール及び前記歯の移動モニタの前記通信インターフェースは、歯科医によって操作される通信装置を介して、歯科医または他のユーザが前記電子制御コンソール及び前記歯の移動モニタに遠隔アクセスして、前記少なくとも１つの歯の移動距離及び前記少なくとも１つの歯の現在位置の少なくとも１つのリアルタイムの測定を開始する、または、前記電子制御コンソールに保存された、前記少なくとも１つの歯の移動距離及び前記少なくとも１つの歯の現在位置の少なくとも１つを取得することを特徴とする請求項１に記載の歯列矯正システム。
【請求項１４】
第２の歯列矯正器具をさらに備え、前記第１及び第２の歯列矯正器具の一方は、前記患者の上顎の少なくとも１つの歯を整列させるためであり、前記第１及び第２の歯列矯正器具の他方は、前記患者の下顎の少なくとも１つの歯を整列させるためである、請求項１に記載の歯列矯正システム。
【請求項１５】
患者の上顎または下顎の少なくとも１つの歯を整列させるための歯列矯正器具であって、
マスピース；
前記少なくとも１つの歯を動かすための力を加えるための力付与部材であって、前記力付与部材は、少なくとも１つの膨張可能要素を備え、前記少なくとも１つの膨張可能要素が、前記少なくとも１つの歯に加えられる力を加えて維持するように流体で膨張可能である、力付与部材；
追加する流体の体積の質量を測定する質量流量センサを備える歯の移動センサであって、前記追加する流体の体積の質量が前記少なくとも１つの膨張可能要素の体積の対応する増加をもたらし、前記対応する増加が、前記少なくとも１つの歯が前記少なくとも１つの膨張可能要素よって加えられる力に応じて移動する際も、前記少なくとも１つの膨張可能要素によって前記少なくとも１つの歯に加えられる力を維持する、歯の移動センサ；及び、
前記マウスピースに配置、または、少なくとも部分的に埋め込まれた歯の移動モニタであって、前記歯の移動モニタは、前記質量流量センサによって測定され、かつ、伝送された流体の質量の測定値を受容するように構成されたコントローラを有し、前記コントローラは、前記流体の質量の測定値から前記少なくとも１つの膨張可能要素の体積の増加を算出するようにさらに構成され、前記コントローラは、算出した前記体積の増加から、前記少なくとも１つの歯が移動した距離または前記少なくとも１つの歯の現在位置、或いは、前記少なくとも１つの歯が移動した距離及び前記少なくとも１つの歯の現在位置を算出するための歯の移動モニタ；
を備えることを特徴とする歯列矯正器具。
【請求項１６】
患者の少なくとも１つの歯を整列させるための方法であって、該方法は、
マウスピースに内に前記患者の前記少なくとも１つの歯を受容するステップ；
前記少なくとも１つの歯を動かすための力を力付与部材を用いて加えるステップであって、前記力付与部材は、少なくとも１つの膨張可能要素を備え、前記少なくとも１つの膨張可能要素が、前記少なくとも１つの歯に加えられる力を加えて維持するように流体で膨張可能である、ステップ；
質量流量センサで追加する流体の体積の質量を測定するステップであって、前記追加する流体の体積の質量が前記少なくとも１つの膨張可能要素の体積の対応する増加をもたらし、前記対応する増加が、前記少なくとも１つの歯が前記少なくとも１つの膨張可能要素よって加えられる力に応じて移動する際も、前記少なくとも１つの膨張可能要素によって前記少なくとも１つの歯に加えられる力を維持する、ステップ；
前記質量流量センサによって測定され、かつ、伝送された前記流体の質量の測定値を歯の移動センサの第１のコントローラで受け取るステップ；
前記流体の質量の測定値から前記少なくとも１つの膨張可能要素の体積の増加を前記第１のコントローラで算出するステップ；
算出された前記体積の増加から、前記少なくとも１つの歯が移動した距離または前記少なくとも１つの歯の現在位置、或いは、前記少なくとも１つの歯が移動した距離及び前記少なくとも１つの歯の現在位置を前記第１のコントローラで算出するステップ； 
電子制御コンソールの流体ポンプで、前記少なくとも１つの膨張可能要素を前記流体で膨張させるステップ；
前記電子制御コンソールの第２のコントローラで前記流体ポンプの作動を制御するステップ；及び、
前記第２のコントローラで、前記歯の移動モニタで算出された、前記少なくとも１つの歯が移動した距離または前記少なくとも１つの歯の現在位置、或いは、前記少なくとも１つの歯が移動した距離及び前記少なくとも１つの歯の現在位置を保存するステップ；
を備え、
前記電子制御コンソール及び前記歯の移動モニタそれぞれは、通信インターフェースを備え、前記通信インターフェースが、有線、無線、または光接続を介して前記電子制御コンソールと前記歯の移動モニタとの間のデータ通信を可能にすることを特徴とする方法。